(57)【特許請求の範囲】
【請求項１】
監視対象範囲を監視する１つ以上のセンサにより探知される探知情報を用いて目標物を管理する目標物管理装置であって、
前記監視対象範囲を複数の分割範囲に分割した分割範囲ごとに、前記センサごとに計測により目標物を探知することができる確率を示す探知率を求める探知率算出部と、
対象の分割範囲に所在する目標物の前回更新した数量に対する前記センサにより探知された前記探知情報から求められた最新の数量の増加した数量あるいは減少した数量を求め、増加した場合、前記探知率を用いて前記増加した数量を変更して、変更した数量と前回更新した目標物の数量を用いて、前記対象の分割範囲に所在する目標物の数量を求める増加処理をし、減少した場合に、前記探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
【請求項２】
監視対象範囲を監視する１つ以上のセンサにより探知される探知情報を用いて目標物を管理する目標物管理装置であって、
前記監視対象範囲を複数の分割範囲に分割した分割範囲ごとに、前記センサごとに計測により目標物を探知することができる確率を示す探知率を求める探知率算出部と、
前記分割範囲ごとに前記センサそれぞれが偽目標物を探知してしまう確率を示す偽探知率を求める偽探知率算出部と、
対象の分割範囲に所在する目標物の前回更新した数量に対する前記センサにより探知された前記探知情報から求められた最新の数量の増加した数量あるいは減少した数量を求め、増加した場合、前記探知率および前記偽探知率を用いて前記増加した数量を変更して、変更した数量と前回更新した目標物の数量を用いて、前記対象の分割範囲に所在する目標物の数量を求める増加処理をし、減少した場合に、前記探知率および前記偽探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
【請求項３】
監視対象範囲を監視する１つ以上のセンサにより探知される探知情報を用いて目標物を管理する目標物管理装置であって、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求める探知率算出部と、
対象の分割範囲に所在する目標物の前回更新した数量に対する前記センサにより探知された前記探知情報から求められた最新の数量の増加した数量あるいは減少した数量を求め、増加した場合、前記探知率を用いて前記増加した数量を変更して、変更した数量と前回更新した目標物の数量を用いて、前記対象の分割範囲に所在する目標物の数量を求める増加処理をし、減少した場合に、前記探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
【請求項４】
監視対象範囲を監視する１つ以上のセンサにより探知される探知情報を用いて目標物を管理する目標物管理装置であって、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求める探知率算出部と、
前記分割範囲ごとに前記センサそれぞれが偽目標物を探知してしまう確率を示す偽探知率を求める偽探知率算出部と、
対象の分割範囲に所在する目標物の前回更新した数量に対する前記センサにより探知された前記探知情報から求められた最新の数量の増加した数量あるいは減少した数量を求め、増加した場合、前記探知率および前記偽探知率を用いて前記増加した数量を変更して、変更した数量と前回更新した目標物の数量を用いて、前記対象の分割範囲に所在する目標物の数量を求める増加処理をし、減少した場合に、前記探知率および前記偽探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
【請求項５】
前記目標数算出部は、
前記対象の分割範囲に所在する目標物の前回更新した数量が前記最新の数量より前記増加した場合、前記対象の分割範囲に隣接する分割範囲の目標物の最新の数量の総和が前回更新した数量の総和より数量が減少したか判定し、減少しているとき前記増加処理をし、
前記対象の分割範囲に所在する目標物の前回更新した数量が前記最新の数量より前記減少した場合、前記対象の分割範囲に隣接する分割範囲の目標物の最新の数量の総和が前回更新した数量の総和より数量が増加したか判定し、増加しているとき前記減算処理を行う、ことを特徴とする請求項１〜４のいずれか１つに記載の目標物管理装置。
【請求項６】
１つ以上の前記分割範囲を有するグループの、前記分割範囲ごとに所在する目標物の数量と前記分割範囲の代表位置を用いて前記グループの代表となるグループ位置を求め、時間経過ごとに前記グループ位置の推移を検出し、前記グループの前回算出したグループ位置と今回算出したグループ位置を結ぶベクトルを求めて、前記グループの移動方向を示す移動ベクトルとする移動ベクトル算出部、を備えることを特徴とする請求項１〜５のいずれか１つに記載の目標物管理装置。
【請求項７】
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサごとに計測により目標物を探知することができる確率を示す探知率を求めて記録部に記録し、
対象の分割範囲に所在する目標物の前回更新した数量に対する前記センサにより探知された前記探知情報から求められた最新の数量の増加した数量あるいは減少した数量を求め、
増加した場合、前記探知率を用いて前記増加した数量を変更して、変更した数量と前回更新した目標物の数量を用いて、前記対象の分割範囲に所在する目標物の数量を求める増加処理をし、
減少した場合、前記探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
【請求項８】
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサごとに計測により目標物を探知することができる確率を示す探知率を求めて記録部に記録し、
前記分割範囲ごとに前記センサそれぞれが偽目標物を探知してしまう確率を示す偽探知率求を求めて前記記録部に記録し、
対象の分割範囲に所在する目標物の前回更新した数量に対する前記センサにより探知された前記探知情報から求められた最新の数量の増加した数量あるいは減少した数量を求め、
増加した場合、前記探知率および前記偽探知率を用いて前記増加した数量を変更して、変更した数量と前回更新した目標物の数量を用いて、前記対象の分割範囲に所在する目標物の数量を求める増加処理をし、
減少した場合、前記探知率および前記偽探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
【請求項９】
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求めて記録部に記録し、
対象の分割範囲に所在する目標物の前回更新した数量に対する前記センサにより探知された前記探知情報から求められた最新の数量の増加した数量あるいは減少した数量を求め、
増加した場合、前記探知率を用いて前記増加した数量を変更して、変更した数量と前回更新した目標物の数量を用いて、前記対象の分割範囲に所在する目標物の数量を求める増加処理をし、
減少した場合、前記探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
【請求項１０】
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求めて記録部に記録し、
前記分割範囲ごとに前記センサそれぞれが偽目標物を探知してしまう確率を示す偽探知率求を求めて前記記録部に記録し、
対象の分割範囲に所在する目標物の前回更新した数量に対する前記センサにより探知された前記探知情報から求められた最新の数量の増加した数量あるいは減少した数量を求め、
増加した場合、前記探知率および前記偽探知率を用いて前記増加した数量を変更して、変更した数量と前回更新した目標物の数量を用いて、前記対象の分割範囲に所在する目標物の数量を求める増加処理をし、
減少した場合、前記探知率および前記偽探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
【発明の詳細な説明】
【技術分野】
【０００１】
本発明は、各種センサが探知した目標物の情報を管理する目標物管理装置および目標物管理方法に関する。
【背景技術】
【０００２】
従来、センサ（ドップラレーダ装置など）で目標物を探知して、探知した目標物ごとの情報を取得して、目標物を管理する装置が知られている。例えば、目標物の情報の管理は、前回探知した目標物の位置、速度、移動方向、種別の情報と、今回探知した目標物の位置、速度、移動方向、種別の情報との類似性を判定して、前回探知した目標物と今回探知した目標物との関連付けをして管理をしている。
【０００３】
また、複数のセンサを用いて監視対象の領域内の目標物を管理する場合、各センサが探知した目標物それぞれの位置、速度、種別の類似性を比較して、比較した結果を用いて目標物に対応する情報を管理している。
【０００４】
ところが、目標物を複数のセンサからの情報を用いて管理する場合、探知条件により目標物の数量を多くカウントすること、逆に少なくカウントしてしまうこと、古い目標物の情報が残存することがある。すなわち、目標物の追尾ができなくなる失追や目標物を見失う失探、偽目標物の検出、センサの特性、複数センサにより探知した目標物の同一正判定の精度などの影響により、誤った目標物の数量の管理をしてしまう。例えば、異なるセンサが同一の目標物を探知しているにも係わらず、同一の目標物を異なる目標物としてカウントしてしまうダブルカウントなどにより誤った目標物の数量の管理をしてしまう。
【０００５】
なお、偽目標物とは、例えばドップラレーダにて、林の揺らぎ、川の流れ、エアコンの室外機のファンなどを誤って目標物と探知してしまうことや、偵察機等にて空から撮影した画像に写しだされる目標物との判別が困難な瓦礫や岩等である。センサの特性とは、例えばドップラレーダ装置の分解能などである。
【０００６】
また、公知の技術では、例えば浮遊または漂流または走行している対象物の当該海域の海象条件を入力して、入力された海象条件及び対象物の大きさに応じた探知率変化を、予め記憶装置に記憶されたデータベースから読み出す。次に、その技術では読み出された探知率変化から対象物の認識確率を算出して、算出された捜索モードを出力装置に出力して、海上に浮遊または漂流または走行している対象物を捜索している。
【先行技術文献】
【特許文献】
【０００７】
【特許文献１】特開２００７−００３４５５号公報
【発明の概要】
【発明が解決しようとする課題】
【０００８】
本発明は上記のような実情に鑑みてなされたものであり、監視対象範囲を複数の分割範囲に分割した分割範囲ごとに目標物の増減数量を変更し、各種センサによる目標物探知のあいまいさを吸収して、目標物の数量の誤りを減少させる目標物情報管理装置および目標物情報管理方法を提供することを目的とする。
【課題を解決するための手段】
【０００９】
実施の態様のひとつである監視対象範囲を監視する１つ以上のセンサにより探知される探知情報を用いて目標物を管理する目標物管理装置は、探知率算出部、目標数算出部を備えている。
【００１０】
探知率算出部は、前記監視対象範囲を複数の分割範囲に分割した分割範囲ごとに、前記センサごとに計測により目標物を探知することができる確率を示す探知率を求める。
目標数算出部は、対象の分割範囲に所在する目標物の前回更新した数量に対する最新の数量の増加した数量あるいは減少した数量を求める。増加した場合、前記探知率を用いて前記増加した数量を変更して、変更した数量と前回更新した目標物の数量を用いて、前記対象の分割範囲に所在する目標物の数量を求める増加処理をする。減少した場合に、前記探知率を用いて減少した数量を変更して、変更した数量と前回更新した目標物の数量を用いて、前記対象の分割範囲に所在する目標物の数量を求める減算処理をする。そして、前記対象の分割範囲の目標物の数量を更新する。
【００１１】
また、実施の態様のひとつである監視対象範囲を監視する１つ以上のセンサにより探知される探知情報を用いて目標物を管理する目標物管理装置は、探知率算出部、偽探知率算出部、目標数算出部を備えている。
【００１２】
探知率算出部は、前記監視対象範囲を複数の分割範囲に分割した分割範囲ごとに、前記センサごとに計測により目標物を探知することができる確率を示す探知率を求める。
偽探知率算出部は、前記分割範囲ごとに前記センサそれぞれが偽目標物を探知してしまう確率を示す偽探知率を求める。
【００１３】
目標数算出部は、対象の分割範囲に所在する目標物の前回更新した数量に対する最新の数量の増加した数量あるいは減少した数量を求める。増加した場合、前記探知率および前記偽探知率を用いて前記増加した数量を変更して、変更した数量と前回更新した目標物の数量を用いて、前記対象の分割範囲に所在する目標物の数量を求める増加処理をする。減少した場合に、前記探知率および前記偽探知率を用いて減少した数量を変更して、変更した数量と前回更新した目標物の数量を用いて、前記対象の分割範囲に所在する目標物の数量を求める減算処理をする。そして、前記対象の分割範囲の目標物の数量を更新する。
【００１４】
また、実施の態様のひとつである監視対象範囲を監視する１つ以上のセンサにより探知される探知情報を用いて目標物を管理する目標物管理装置は、探知率算出部、目標数算出部を備えている。
【００１５】
探知率算出部は、前記監視対象範囲を複数の分割範囲に分割した分割範囲ごとに、前記センサそれぞれの予め記録されている目標物を探知する確率を示す情報を取得する。また、前記分割範囲の標高を示す情報を基に前記センサから見通せるメッシュを検出する。そして、前記分割範囲において目標物を探知することができる確率を示す探知率を求める。
【００１６】
目標数算出部は、対象の分割範囲に所在する目標物の前回更新した数量に対する最新の数量の増加した数量あるいは減少した数量を求める。増加した場合、前記探知率を用いて前記増加した数量を変更して、変更した数量と前回更新した目標物の数量を用いて、前記対象の分割範囲に所在する目標物の数量を求める増加処理をする。減少した場合に、前記探知率を用いて減少した数量を変更して、変更した数量と前回更新した目標物の数量を用いて、前記対象の分割範囲に所在する目標物の数量を求める減算処理をする。そして、前記対象の分割範囲の目標物の数量を更新する。
【００１７】
また、実施の態様のひとつである監視対象範囲を監視する１つ以上のセンサにより探知される探知情報を用いて目標物を管理する目標物管理装置は、探知率算出部、偽探知率算出部、目標数算出部を備えている。
【００１８】
探知率算出部は、前記監視対象範囲を複数の分割範囲に分割した分割範囲ごとに、前記センサそれぞれの予め記録されている目標物を探知する確率を示す情報を取得する。また、前記分割範囲の標高を示す情報を基に前記センサから見通せるメッシュを検出する。そして前記分割範囲において目標物を探知することができる確率を示す探知率を求める。
【００１９】
偽探知率算出部は、前記分割範囲ごとに前記センサそれぞれが偽目標物を探知してしまう確率を示す偽探知率を求める。
目標数算出部は、対象の分割範囲に所在する目標物の前回更新した数量に対する最新の数量の増加した数量あるいは減少した数量を求める。増加した場合、前記探知率および前記偽探知率を用いて前記増加した数量を変更して、変更した数量と前回更新した目標物の数量を用いて、前記対象の分割範囲に所在する目標物の数量を求める増加処理をする。減少した場合に、前記探知率および前記偽探知率を用いて減少した数量を変更して、変更した数量と前回更新した目標物の数量を用いて、前記対象の分割範囲に所在する目標物の数量を求める減算処理をする。そして、前記対象の分割範囲の目標物の数量を更新する。
【発明の効果】
【００２０】
実施の態様は、監視対象範囲を複数の分割範囲に分割した分割範囲ごとに目標物の増減数量を変更することで、各種センサによる目標物探知のあいまいさを吸収して目標物の数量の誤りを減少させることができるという効果を奏する。
【図面の簡単な説明】
【００２１】
【図１】目標物管理装置の一実施例を示す図である。
【図２】センサが監視する対象の範囲におけるメッシュ、地形、センサの監視範囲の一実施例を示す図である。
【図３】処理部の一実施例を示す図である。
【図４】分割範囲情報データベースのデータ構造の一実施例を示す図である。
【図５】探知距離と探知率の関係を示すグラフの一実施例である。
【図６】見通し解析の一実施例を示す図である。
【図７】Ａは探知率データベースのデータ構造の一実施例を示す図であり、Ｂは偽探知率データベースのデータ構造の一実施例を示す図である。
【図８】探知情報のデータ構造の一実施例を示す図である。
【図９】目標物数量データベースのデータ構造を示す一実施例を示す図である。
【図１０】探知率を用いた目標物の数量の管理処理の一実施例を示すフロー図である。
【図１１】偽探知率を用いた目標物の数量の管理処理の一実施例を示すフロー図である。
【図１２】探知率と偽探知率を用いた目標物の数量の管理処理の一実施例を示すフロー図である。
【図１３】探知率と偽探知率を用いた目標物の数量の管理処理の一実施例を示すフロー図である。
【図１４】実施態様２における目標物の数量の管理処理の一実施例を示すフロー図である。
【図１５】実施態様３の移動ベクトルの算出の一実施例を示すフロー図である。
【図１６】グループデータベースのデータ構造の一実施例を示す図である。
【図１７】グループデータベースのデータ構造の一実施例を示す図である。
【図１８】センサが監視する対象の範囲におけるメッシュ、地形、センサの監視範囲の一実施例を示す図である。
【図１９】センサが監視する対象の範囲におけるメッシュ、地形、センサの監視範囲の一実施例を示す図である。
【図２０】センサが監視する対象の範囲におけるメッシュ、地形、センサの監視範囲の一実施例を示す図である。
【図２１】重心の位置の算出方法を説明するための一実施例を示す図である。
【図２２】グループの判定方法を説明するための一実施例を示す図である。
【図２３】実施形態１、２、３で説明した装置を実現できるコンピュータのハードウェア構成の一実施例を示す図である。
【発明を実施するための形態】
【００２２】
以下図面に基づいて、本発明の実施形態について詳細を説明する。
（実施態様１）
実施形態１における目標物管理装置は、センサ各々に探知した情報に基づいて目標物を管理する装置である。また、目標物管理装置は、目標物を追尾する機能を備えていてもよい。ここで、センサは、目標物を探知するためのレーダ装置、暗視装置、測距装置、撮影装置（例えば、カメラ、ビデオカメラなどを含む）などである。レーダ装置は自らの送信部から電波を照射し、目標物から反射されて戻ってくる電波を受信機で受信することにより、目標物の距離、方向、移動速度、種別などの情報を得る装置である。例えば、センサとしてドップラレーダ（Doppler radar）装置などを用いることが好ましい。また、陸上において、目標物は人、一般車両、特殊車両、軍用車両など、海上においては人、旅客船（客船）、貨客船（貨客混載船）、貨物船、軍艦、巡視船、漁船、特殊船などを対象とし、さらに航空機（重航空機、軽航空機）などを対象としてもよい。
【００２３】
また、地上の目標物を監視するセンサは、地上に設置したドップラレーダ装置の他に、飛行機（無人飛行機などを含む）やヘリコプタによる空中から撮影した動画像や静止画像により目標物を探知してもよい。なお、動画像や静止画像は、暗視装置、撮影装置などで撮影した情報であり、目標物管理装置または、暗視装置、撮影装置自身が、後述する地図データと撮影した情報を対応付けて記録する。また、撮影した情報を解析して、目標物を検知して記録する。
【００２４】
図１は、目標物管理装置の一実施例を示すブロック図である。
目標物管理装置１は、センサ部２、受信部３、送信部４、処理部５、記録部６、表示部７を備えている。目標物管理装置１は、例えば、図２に示されるセンサ２０３〜２０８から監視範囲を探知した情報を取得して目標物を管理する。図２は、センサが監視する対象の範囲におけるメッシュ、地形、センサの監視範囲の一実施例を示す図である。
【００２５】
センサ部２は、目標物管理装置１に設けられたセンサである。すなわち、目標物管理装置１の本体にセンサ機能を設けることもできる。ただし、センサ部２を目標物管理装置１にかならずしも設けなくてもよい。
【００２６】
受信部３は、各センサからセンサ情報、各センサが探知した結果を有する探知情報を受信し、受信した探知情報を処理部５に転送する。センサ情報は、例えば、センサの識別子、位置、向きなどのデータを有している。探知情報は、目標物を識別する識別子、目標物を探知した日時、目標物の位置、種別などのデータを有している。
【００２７】
送信部４は、例えば無線送信部または有線送信部を備え、専用回線、公衆回線、無線Local Area Network（ＬＡＮ）などを用いて、基地局、端末、Personal Computer（ＰＣ）などと通信ができる。また、送信部４は、処理部５の演算結果などを外部装置へ送信する。
【００２８】
処理部５は、図３に示すように探知率算出部３１、偽探知率算出部３２、目標数算出部３３、移動ベクトル算出部３４を備えている。なお、処理部５は、Central Processing Unit（ＣＰＵ）やプログラマブルなデバイス（Field Programmable Gate Array（ＦＰＧＡ）、Programmable Logic Device（ＰＬＤ）など）を用いてもよい。なお、探知率算出部３１、偽探知率算出部３２、目標数算出部３３、移動ベクトル算出部３４については後述する。
【００２９】
記録部６は、プログラム、テーブル、データなどが記録されている。また、記録部６は、例えばRead Only Member（ＲＯＭ）、Random Access Memory（ＲＡＭ）、ハードディスクなどのメモリである。また、記録部６は、パラメータ値、変数値などのデータを記録してもよいし、ワークエリアとして用いることもできる。本例では、記録部６に、表示部７にレーダ装置の探知した結果（目標物）を表示するための地図情報データベースなどを記録している。また、記録部６には、センサごとの特性を示す特性情報データベース、分割範囲情報データベースなどを記録する。
【００３０】
地図情報データベースは、地図データ、地形（山、川、建物など）、標高などの地形を示す情報を有している。特性情報データベースは、センサの識別子、探知距離、探知方向などの情報、（センサの監視範囲または覆域）の情報を有している。また、特性情報データベースは、センサごとの目標物を探知する確率を示す情報が記録されている。分割範囲情報データベースは、センサにより監視する対象範囲（以降、監視対象範囲と呼ぶ）を分割した範囲を示す分割範囲（以降、メッシュと呼ぶ）の位置、間隔などの情報を有している。
【００３１】
図２を用いて地図情報データベース、特性情報データベース、分割範囲情報データベースについて説明する。メッシュは、図２の例では目標物管理装置１の監視対象範囲２００を複数の範囲に分割したメッシュ２０１として示されている。本例では、メッシュ２０１は正方形状の範囲であり、メッシュ２０１の間隔は、監視対象の目標物によって精度（分解能）は異なるが、１０ｍ〜１０００ｍ程度を想定する。ただし、メッシュ形状、メッシュ間隔は上記に限定されるものではない。なお、図２ではメッシュが正方形状であるので、例えば、正方形の１つの頂点にメッシュ位置（座標）を関連付けることが考えられる。なお、各メッシュの頂点と地図情報の位置（例えば、緯度、経度）を関連付けてもよい。
【００３２】
図４は、分割範囲情報データベースのデータ構造の一実施例を示す図である。
分割範囲情報データベースは、「メッシュＩＤ」「メッシュ位置」「メッシュ標高」「メッシュ範囲」などのデータを有している。「メッシュＩＤ」は、メッシュを識別する情報が記録される。本例では「メッシュＩＤ」に「ＭＩＤ１」「ＭＩＤ２」「ＭＩＤ３」・・・「ＭＩＤ１７９」「ＭＩＤ１８０」「ＭＩＤ１８１」・・・「ＭＩＤ３０７」「ＭＩＤ３０８」が記録されている。「メッシュ位置」には、メッシュの位置を示す情報が記録される。本例では「位置」にメッシュの座標が記録されている「（０，０）」「（１，０）」「（２，０）」・・・「（２，８）」「（３，８）」「（４，８）」・・・「（２０，１３）」「（２１，１３）」が記録されている。なお、「位置」には、緯度、経度を記録してもよい。
【００３３】
「メッシュ標高」には、メッシュに関連付けられた標高に関するデータが記録されている。メッシュ標高は、メッシュに対応する範囲の地図データから取得した標高データ（図２の山２０９、２１０の標高の情報など）を用いて、メッシュごとの標高を求める。本例では、「レベル０」「レベル１」「レベル０」・・・「レベル１」「レベル２」「レベル１」・・・「レベル１」「レベル１」には求めた標高が記録されている。
【００３４】
なお、本例ではメッシュに覆域が接していれば、該メッシュはセンサの監視の対象としている。実際には、配置したセンサにてクラッタ情報が得られている場合は、センサが監視しているメッシュとする。
【００３５】
「メッシュ範囲」にはメッシュ間隔が記録され、本例では「１０ｍ」が記録されている。
特性情報データベースの有する各センサを識別する識別子は、図２の例ではセンサ２０３、２０４、２０５、２０６、２０７、２０８にそれぞれ関連付けられている。センサの位置は、各センサの識別子に関連付けられて記録されている。なお、センサの位置は、地図データの座標（緯度、経度）または、センサ位置が含まれるメッシュに関連付ける。図２では、センサ２０３、２０４、２０５、２０６、２０７、２０８の設置位置と、覆域２１１、２１２、２１３、２１４、２１５、２１６が対応付けられ監視対象範囲２００に示されている。なお、メッシュは地図データに予め記録されている間隔、または地形などに合わせてメッシュを区切ってもよい。
【００３６】
また、記録部６には、処理部５により演算される結果が記録される。例えば、メッシュごとの探知率、偽探知率、目標物の数量と、目標物の移動方向を示す移動ベクトルなどが記録部６に記録されている。
【００３７】
表示部７は、出力装置であり、例えば、ディスプレイ、プリンタなどである。表示部７は、処理部５の演算結果を表示する。
処理部５について図３を用いて説明する。
【００３８】
図３の探知率算出部３１は、メッシュごとに使用する(配置した)センサごとに探知率を算出して、記録部６の後述する探知率データベースに記録する（図７のＡを参照）。
実測値を反映させる探知率の算出方法について説明する。
【００３９】
各センサは、監視対象範囲に対して送信電波を照射して、例えば地面などからの反射波の強度を測定する。次に、メッシュごとにセンサ各々が測定した反射波の強度を対応付け、メッシュごとにセンサ各々が探知率を算出する。例えば、探知率は式１で表すことができる。
探知率＝（計測した反射波の強度／理想受信強度）×１００％      （式１）
【００４０】
なお、理想受信強度はセンサから送信される電波の電波強度としてもよいし、予めセンサの性能に基づいて決められている距離における受信強度としてもよい。なお、計測した反射強度が高いメッシュは探知率を高くし、計測した反射強度が低いメッシュは探知率を低く設定する。
【００４１】
センサ特性を用いて探知率を算出する方法について説明する。
探知率算出部３１は、探知率を分割範囲情報データベースと特性情報データベースを用いて求めてもよい。例えば、特性情報データベースからセンサの探知距離を取得し、センサごとの探知距離と探知率が記録されたデータを用いて探知率を求める。例えば、図５のＡ、Ｂ、Ｃに示した探知距離と探知率の関係を示すグラフを、データベースにして記録部６に記録する。図５のＡは、大型車両（例えば、トラック、戦車など）に対する探知距離と探知率の関係を示すグラフである。図５のＢは、中型車両（例えば、一般車両）、大型動物などに対する探知距離と探知率の関係を示すグラフである。図５のＣは、小型車両人、動物などに対する探知距離と探知率の関係を示すグラフである。図５のＡ、Ｂ、Ｃに示すグラフは、縦軸に探知率（％）を示し、横軸に距離（ｋｍ）が示されている。
【００４２】
次に、探知率算出部３１は、分割範囲情報データベースのメッシュ標高のデータを参照し、センサ設置位置からの覆域内のメッシュに対して見通し解析を実施する。見通し解析とは、対象の範囲に電波が到達可能か否かを判定する解析方法である。図６に見通し解析の一実施例を示す。例えば、図６においてＨ１のメッシュはＨ２で示される２のメッシュよりも標高が高く、３つのメッシュで表されているＨ３は、Ｈ１、Ｈ２のメッシュよりも標高が高い。また、Ｈ４の、メッシュはＨ１、Ｈ２、Ｈ３のメッシュよりも標高が低い。図６のような場合に、Ｈ１にセンサが設置されていると、Ｈ１の位置からＨ２、Ｈ３のメッシュは見通せるが、Ｈ４のメッシュは見通すことができない。すなわち、Ｈ４のメッシュには電波が到達できないため見通せないことになる。このような状況のメッシュを見通し外メッシュとして、センサまたはセンサが設置されているメッシュに関連付ける。また、見通せるメッシュはＨ２、Ｈ３などについては、見通し内メッシュとして、センサまたはセンサが設置されているメッシュに関連付ける。
【００４３】
次に、見通し外メッシュの探知率は０％とし、見通し内メッシュの探知率は上記で求めた探知率を分割範囲情報データベースの対象のメッシュに関連付けて記録する。
なお、一般にレーダ装置などはセンサからの距離に応じて探知性能が低下する。また、探知率はセンサからの距離、地形などから決定される目標物を探知できる確率とする。つまり、探知率は目標物を正確に探知できる確率とする。ただし、探知率の求め方は上記方法に限定されるものではない。
【００４４】
偽探知率算出部３２は、目標物の進入前に覆域に対して電波を照射して、例えば地面などからの反射強度のうち、電波に対する周波数変化を測定したデータを取得する。そして、メッシュごとの反射波の強度と周波数の変化に応じて偽探知率を算出して、記録部６の後述する偽探知率データベースに記録する（図７のＢを参照）。
偽探知率＝（偽目標物を探知した回数／スキャン回数）×１００％      （式２）
【００４５】
偽目標物を探知した回数とは反射波に、ドップラ効果がある（送信波に対して周波数に違いのある反射波の強度が一定値以上ある）場合をカウントした回数をいう。
【００４６】
スキャン回数は、センサが目標物の進入前に覆域に対して何回計測をしたかを示している。偽目標物を探知した回数は、センサが計測した回数のうち何回偽目標物を計測したかを示している。なお、偽目標物であるか否かの判定は、例えば、センサが目標物の進入前に覆域に対して何回か計測をして、ドップラ効果が有るが移動しないような目標物を特定して偽目標物とする。なお、偽探知率は林の揺らぎや川の流れなどを誤って目標物として検出してしまう確率とする。つまり、偽探知率は偽目標物を誤って探知する確率とする。なお、偽探知率の求め方は上記方法に限定されるものではない。
【００４７】
また、偽探知率算出部３２は、探知率算出部３１と同様に見通し解析の実施結果を、偽探知率データベースに反映させてもよい。
図７のＡ、Ｂは、探知率データベースと偽探知率データベースのデータ構造を示す一実施例を示す図である。図７のＡの探知率データベースは、「メッシュＩＤ」「センサＩＤ」「探知率」を有する。本例では「メッシュＩＤ」に図２の・・・「ＭＩＤ１７８」「ＭＩＤ１７９」「ＭＩＤ１８０」・・・が記録されている。「センサＩＤ」には、センサの識別子が記録されている。本例は図２に対応しているので、「２０３」「２０４」「２０５」・・・が記録されている。「探知率」には、メッシュごとにセンサ各々に対応する探知率が記録されている。本例では、センサ２０３の場合「８０」「７０」「２０」・・・が記録されている。センサの監視範囲でないメッシュと見通し外メッシュは、探知率０％を示す「０」が記録されている。なお、探知率は例えば０％〜１００％の範囲の値が記録されている。
【００４８】
図７のＢの偽探知率データベースは、「メッシュＩＤ」「センサＩＤ」「偽探知率」を有する。本例では「メッシュＩＤ」に図２の・・・「ＭＩＤ１７８」「ＭＩＤ１７９」「ＭＩＤ１８０」・・・が記録されている。「センサＩＤ」には、センサの識別子が記録されている。本例は図２に対応しているので、「２０３」「２０４」「２０５」・・・が記録されている。「偽探知率」には、メッシュごとにセンサ各々に対応する探知率が記録されている。本例では、センサ２０４の場合「１０」「２０」「０」・・・が記録されている。なお、偽探知率は、例えば０％〜１００％の範囲の値が記録されている。
【００４９】
目標数算出部３３は、探知情報、探知率、偽探知率を用いてメッシュごとの目標物の数量を算出する。メッシュごとの目標物の数量の算出は、目標数算出部３３が各センサから取得した最新の探知情報（図８参照）の「探知位置」の位置データを参照して、目標物とメッシュを対応付ける。次に、目標数算出部３３は、対象のメッシュに対応付けられた目標物の数量を求める。このとき、探知情報の「種別」を参照して、種別ごとに数量を求めてもよい。次に、最新の探知情報に基づいて求めた目標物の数量を、記録部６に記録されている目標物数量データベース（図９参照）に記録する。
【００５０】
図８は、探知情報のデータ構造の一実施例を示す図である。探知情報は、「センサＩＤ」「目標物ＩＤ」「探知日時」「探知位置」「種別」などの情報を有している。図８の探知情報はセンサ２０３の探知情報を示している。「センサＩＤ」にはセンサを識別するための識別子が記録される。本例ではセンサ２０３の識別子「２０３」が記録されている。「目標物ＩＤ」には、目標物を識別するための識別子が記録される。本例では、「ＩＤ１」「ＩＤ２」「ＩＤ３」「ＩＤ４」・・・・が記録されている。「探知日時」には目標物を探知した時間が記録されている。本例では、「２００９／１２／１０／９：００」が記録されている。「探知位置」には探知した目標物の位置が記録されている。本例では、「位置１」「位置２」「位置３」「位置４」・・・・が記録されている。「位置１」〜「位置４」には、緯度、経度やＵＴＭ座標（ユニバーサル横メルカトル図法）を記録することが好ましい。「種別」には、探知した目標物の種別が記録されている。本例では、「人」「人」「人」「車両」・・・・が記録されている。
【００５１】
図９は、目標物数量データベースのデータ構造を示す一実施例を示す図である。目標物数量データベースは、「メッシュＩＤ」「探知日時」「目標物の数量」などの情報を有しており、センサ各々から取得した最新の探知情報を用いて算出した結果を反映する。本例において「メッシュＩＤ」には・・・「ＭＩＤｎ」「ＭＩＤｎ＋１」・・・が記録されている。「探知日時」には・・・「２００９／１２／１０／１０：０１」「２００９／１２／１０／１０：００」・・・「２００９／１２／１０／１０：０１」「２００９／１２／１０／１０：００」・・・が記録されている。本例において「←最新」は最新の情報を示しており、「←前回」には前回に更新した最新の情報が示されている。また、本例では１分おきに計測をしているが計測間隔は限定されるものではない。
「目標物の数量」には、メッシュごとに存在する目標物の数量を示している。本例では、「人」「車両」「合計」に分けて数量を管理している。「人」には対象のメッシュにおける人と判定した目標物の数量が記録されている。また、「車両」には対象のメッシュにおける車両と判定した目標物の数量が記録されている。「車両」にはメッシュごとの「人」と「車両」の合計の数量が記録されている。本例では、「人」に・・・「１０」「１０」・・・「９」「１０」・・・、「車両」に・・・「１」「１」・・・「１」「１」・・・、「合計」に・・・「１１」「１１」・・・「１０」「１１」・・・が記録されている。
【００５２】
目標物の数量の算出方法について説明する。
目標物管理装置１の目標数算出部３３は、目標物数量データベースの「探知日時」を参照して、前回更新された対象のメッシュに所在している目標物の数量（図９の目標物数量データベースの「最新」に記録されている数量）と、センサが探知した対象のメッシュに所在している最新の目標物の数量を比較する。比較した結果、前回より最新の目標物の数量が多いとき（増加した場合）、式３に示すように演算をする。
メッシュ内の目標物の数量＝  前回目標物の数量                          （式３）
＋増加した数量
＋増加した数量×（１−（探知率／１００））
【００５３】
すなわち、実際にそのメッシュ内に所在していても、探知率が低いために探知できなかったと推測される目標物の数量（増加した数量×（１−（探知率／１００）））を加味して、メッシュ内の目標物の数量を求める。
【００５４】
また、前回更新された対象のメッシュに所在した目標物の数量から、センサが探知した対象のメッシュに所在している最新の目標物の数量が減少した場合、式４に示すように演算をする。
メッシュ内の目標物の数量＝  前回目標物の数量                          （式４）
−減少した数量
＋減少した数量×（１−（探知率／１００））
【００５５】
すなわち、実際にそのメッシュ内に所在していても、探知率が低いために探知できなかったと推測される目標物の数量（減少した数量×（１−探知率／１００））を加味し、メッシュ内の目標物の数量を求める。
【００５６】
図１０は、探知率を用いた目標物の数量の管理処理の一実施例を示すフロー図である。
ステップＳ１０１では、目標数算出部３３が目標物管理装置１の受信部３からセンサによって探知した探知情報を取得する。図２の場合であれば、目標物管理装置１の目標数算出部３３は、受信部３を介してセンサ２０３〜２０８が探知した最新の探知情報を取得する。
【００５７】
ステップＳ１０２では、目標数算出部３３が探知情報を参照して、探知した目標物をメッシュごとに関連付ける。
ステップＳ１０３で目標数算出部３３は、前回更新した数量と探知した対象のメッシュに所在している最新の目標物の数量を比較する。比較の結果、前回より目標物の数量が減少したかを判定する。判定の結果、目標物の数量が増加または同数のときはステップＳ１０４（Ｎｏ）に移行し、目標物の数量が減少したときはステップＳ１０５（Ｙｅｓ）に移行する。
【００５８】
ステップＳ１０４では、目標数算出部３３が式３に従いメッシュ内の目標物の数量を求める。探知率は、探知率データベースから対象のメッシュに関連付けられた「探知率」のデータを取得する。
【００５９】
ステップＳ１０５では、目標数算出部３３が式４に従いメッシュ内の目標物の数量を求める。探知率の取得はステップＳ１０４と同様。
ステップＳ１０６では、目標数算出部３３が目標物の数量を更新する。例えば、目標物数量データベースの「メッシュＩＤ」に関連する「目標物の数量」のデータを更新する。図９の場合であれば、矢印で示した前回更新した（←最新）のデータを更新する。更新前に（←最新）に記憶されていた内容は（←前回）に上書き更新する。なお、目標物数量データベースに履歴を記録してもよい。
【００６０】
なお、ステップＳ１０２にて探知した目標物が関連付けられたメッシュと、そのセンサによる探知率が一定値以上のメッシュに対して、ステップＳ１０３〜Ｓ１０６の処理を行う。また、ステップＳ１０６まで終了した後、センサ２０３〜２０８のうちのいずれから新しい探知情報を受信した場合は、ステップＳ１０１に移行する。
【００６１】
偽探知率を使用した目標物の数量の管理を示す。
目標数算出部３３は、目標物数量データベースの「探知日時」を参照して、前回更新された対象のメッシュに所在している目標物の数量（図９の目標物数量データベースの「最新」に記録されている数量）と、センサが探知した対象のメッシュに所在している最新の目標物の数量を比較する。比較した結果、前回より最新の目標物の数量が多いとき（増加した場合）、式５に示すように演算をする。
メッシュ内の目標物の数量＝  前回目標物の数量                          （式５）
＋増加した数量
−増加した数量×（偽探知率／１００）
【００６２】
すなわち、増加した数量から、偽目標物と推測される数量（増加した数量×（偽探知率／１００））を減算することにより、偽目標物について加味したメッシュ内の目標物の数量を求めることができる。
【００６３】
また、前回更新された対象のメッシュに所在した目標物の数量から、センサが探知した対象のメッシュに所在している最新の目標物の数量が減少した場合、式６に示すように演算をする。
メッシュ内の目標物の数量＝  前回目標物の数量                          （式６）
−減少した数量
＋減少した数量×（偽探知率／１００）
【００６４】
すなわち、減少した数量から、偽目標物と推測される数量（減少した数量×（偽探知率／１００））を減算することにより、偽目標物について加味したメッシュ内の目標物の数量を求めることができる。
【００６５】
図１１は、偽探知率を用いた目標物の数量の管理処理の一実施例を示すフロー図である。
ステップＳ１１１、Ｓ１１２では、ステップＳ１０１、Ｓ１０２と同様の処理を行う。
【００６６】
ステップＳ１１３で目標数算出部３３は、前回更新した数量と探知した対象のメッシュに所在している最新の目標物の数量を比較する。比較の結果、前回より目標物の数量が減少したかを判定する。判定の結果、目標物の数量が増加または同数のときはステップＳ１１４（Ｎｏ）に移行し、目標物の数量が減少したときはステップＳ１１５（Ｙｅｓ）に移行する。
【００６７】
ステップＳ１１４では、目標数算出部３３が式５に従いメッシュ内の目標物の数量を求める。偽探知率は、偽探知率データベースから対象のメッシュに関連付けられた「偽探知率」のデータを取得する。
【００６８】
ステップＳ１１５では、目標数算出部３３が式６に従いメッシュ内の目標物の数量を求める。偽探知率の取得はステップＳ１１４と同様。
ステップＳ１１６では、目標数算出部３３が目標物の数量を更新する。例えば、目標物数量データベースの「メッシュＩＤ」に関連する「目標物の数量」のデータを更新する。図９の場合は矢印で示した前回更新した（←最新）のデータを更新する。更新前に（←最新）に記憶されていた内容は（←前回）に上書き更新する。なお、目標物数量データベースに履歴を記録してもよい。
【００６９】
なお、ステップＳ１１２にて探知した目標物が関連付けられたメッシュと、そのセンサによる探知率が一定値以上のメッシュに対して、ステップＳ１１３〜Ｓ１１６の処理を行ってもよい。また、ステップＳ１１６まで終了した後、センサ２０３〜２０８のうちのいずれから新しい探知情報を受信した場合は、ステップＳ１１１に移行する。
【００７０】
探知率と偽探知率を使用した目標物の数量の管理を示す。
目標数算出部３３は、目標物数量データベースの「探知日時」を参照して、前回更新された対象のメッシュに所在している目標物の数量（図９の目標物数量データベースの「最新」に記録されている数量）と、センサが探知した対象のメッシュに所在している最新の目標物の数量を比較する。比較した結果、前回より最新の目標物の数量が多いとき（増加した場合）、式７に示すように演算をする。
メッシュ内の目標物の数量＝  前回目標物の数量                          （式７）
＋増加した数量
＋増加した数量×（１−（探知率／１００））
−増加した数量×（偽探知率／１００）
【００７１】
すなわち、増加した数量と、探知率が低いために探知できなかったと推測される目標物の数量（増加した数量×（１−探知率／１００））を加算し、さらに偽目標物と推測される数量（増加した数量×（偽探知率／１００））を減算する。その結果、探知率と偽探知率について加味したメッシュ内の目標物の数量を求めることができる。
【００７２】
また、前回更新された対象のメッシュに所在した目標物の数量から、センサが探知した対象のメッシュに所在している最新の目標物の数量が減少した場合、式８に示すように演算をする。
メッシュ内の目標物の数量＝  前回目標物の数量                          （式８）
−減少した数量
＋減少した数量×（１−（探知率／１００））
−減少した数量×（偽探知率／１００）
【００７３】
すなわち、減少した数量から、探知率が低いために探知できなかったと推測される目標物の数量（減少した数量×（１−探知率／１００））と、偽目標物と推測される数量（減少した数量×（偽探知率／１００））を減算する。その結果、探知率と偽探知率について加味したメッシュ内の目標物の数量を求めることができる。
【００７４】
図１２は、探知率と偽探知率を用いた目標物の数量の管理処理の一実施例を示すフロー図である。
ステップＳ１２１、Ｓ１２２では、では、ステップＳ１０１、Ｓ１０２と同様の処理を行う。
【００７５】
ステップＳ１２３で目標数算出部３３は、前回更新した数量と探知した対象のメッシュに所在している最新の目標物の数量を比較する。比較の結果、前回より目標物の数量が減少したかを判定する。判定の結果、目標物の数量が増加または同数のときはステップＳ１２４（Ｎｏ）に移行し、目標物の数量が減少したときはステップＳ１２５（Ｙｅｓ）に移行する。
【００７６】
ステップＳ１２４では、目標数算出部３３が式７に従いメッシュ内の目標物の数量を求める。
ステップＳ１２５では、目標数算出部３３が式８に従いメッシュ内の目標物の数量を求める。
【００７７】
ステップＳ１２６では、目標数算出部３３が目標物の数量を更新する。例えば、目標物数量データベースの「メッシュＩＤ」に関連する「目標物の数量」のデータを更新する。図９の場合は矢印で示した前回更新した（←最新）のデータを更新する。更新前に（←最新）に記憶されていた内容は（←前回）に上書き更新する。なお、目標物数量データベースに履歴を記録してもよい。
【００７８】
なお、ステップＳ１２２にて探知した目標物が関連付けられたメッシュと、そのセンサによる探知率が一定値以上のメッシュに対して、ステップＳ１２３〜Ｓ１２６の処理を行ってもよい。また、ステップＳ１２６まで終了した後、センサ２０３〜２０８のうちのいずれから新しい探知情報を受信した場合は、ステップＳ１２１に移行する。
【００７９】
探知率と偽探知率を使用した目標物の数量の管理を示す。
目標数算出部３３は、目標物数量データベースの「探知日時」を参照して、前回更新された対象のメッシュに所在している目標物の数量（図９の目標物数量データベースの「最新」に記録されている数量）と、センサが探知した対象のメッシュに所在している最新の目標物の数量を比較する。比較した結果、前回より最新の目標物の数量が多いとき（増加した場合）、式９に示すように演算をする。
メッシュ内の目標物の数量＝  前回目標物の数量                          （式９）
＋増加した数量
−増加した数量×（偽探知率／１００）
【００８０】
すなわち、増加した数量から、偽目標物と推測される数量（増加した数量×（偽探知率／１００））を減算することにより、偽探知率について加味したメッシュ内の目標物の数量を求めることができる。
【００８１】
また、前回更新された対象のメッシュに所在した目標物の数量から、センサが探知した対象のメッシュに所在している最新の目標物の数量が減少した場合、式１０に示すように演算をする。
メッシュ内の目標物の数量＝  前回目標物の数量                      （式１０）
−減少した数量
＋減少した数量×（１−（探知率／１００））
【００８２】
すなわち、減少した数量に、探知率が低いために探知できなかったと推測される目標物の数量（減少した数量×（１−探知率／１００））を加算することにより、探知率を加味したメッシュ内の目標物の数量を求めることができる。
【００８３】
図１３は、探知率と偽探知率を用いた目標物の数量の管理処理の一実施例を示すフロー図である。
ステップＳ１３１、Ｓ１３２では、では、ステップＳ１０１、Ｓ１０２と同様の処理を行う。
【００８４】
ステップＳ１３３で目標数算出部３３は、前回更新した数量と探知した対象のメッシュに所在している最新の目標物の数量を比較する。比較の結果、前回より目標物の数量が減少したかを判定する。判定の結果、目標物の数量が増加または同数のときはステップＳ１３４（Ｎｏ）に移行し、目標物の数量が減少したときはステップＳ１３５（Ｙｅｓ）に移行する。
【００８５】
ステップＳ１３４では、目標数算出部３３が式９に従いメッシュ内の目標物の数量を求める
ステップＳ１３５では、目標数算出部３３が式１０に従いメッシュ内の目標物の数量を求める。
【００８６】
ステップＳ１３６では、目標数算出部３３が目標物の数量を更新する。例えば、目標物数量データベースの「メッシュＩＤ」に関連する「目標物の数量」のデータを更新する。図９の場合は矢印で示した前回更新した（←最新）のデータを更新する。更新前に（←最新）に記憶されていた内容は（←前回）に上書き更新する。なお、目標物数量データベースに履歴を記録してもよい。
【００８７】
なお、ステップＳ１３２にて探知した目標物が関連付けられたメッシュと、そのセンサによる探知率が一定値以上のメッシュに対して、ステップＳ１３３〜Ｓ１３６の処理を行ってもよい。また、ステップＳ１３６まで終了した後、センサ２０３〜２０８のうちのいずれから新しい探知情報を受信した場合は、ステップＳ１３１に移行する。
【００８８】
本実施形態によれば、目標物それぞれに対して追尾処理をして管理するのではなく、メッシュごとに目標物の数量を管理することにより、センサ個々の探知の特性を含めてメッシュごとの目標物の数量管理が可能になる。
【００８９】
また、広域な範囲を監視するセンサによる目標物の所在のしないことを示す否定情報を取得した場合に、メッシュごとに目標物の数量を管理しているため該否定情報を反映した目標物の数量管理が可能になる。広域な範囲は、例えば図２における覆域２１６などである。
【００９０】
メッシュごとに探知率と偽探知率を加味して目標物の数量を求めているため、探知日時の古い目標物や偽目標物の影響を削減できるため、目標物の情報の鮮度管理が可能となる。
メッシュごとに探知率を定義することにより、その地域の特性（地形、センサからの見通し可否等）を反映した目標物の数量管理が可能になる。
【００９１】
メッシュに、センサごとの探知率を設定することにより、使用するセンサの特性とメッシュとセンサの距離に応じた目標物の数量管理が可能になる。
メッシュに偽探知率を設定することにより、林の揺らぎや川の流れ等で誤って偽目標物を検出してしまうことによる目標物の数量管理の誤りを軽減できる。
【００９２】
（実施態様２）
実施態様２では、周辺メッシュの目標物の数量の増減を参照して目標物の数量を管理する。前回更新した対象のメッシュに所在した目標物の数量より（図９の目標物数量データベースの「最新」に記録されている数量）、センサが探知した対象のメッシュに所在する最新の目標物の数量が減少したか否かを判定する。減少した場合、対象のメッシュに隣接するメッシュの目標物の数量の総和が前回から増加していないかを判定する。増加していない場合は、該メッシュの目標物の数量を減算しない。また、前回更新した対象のメッシュに所在した目標物の数量より、センサが探知した対象のメッシュに所在する最新の目標物の数量が増加したか否かを判定する。増加した場合、該メッシュに隣接するメッシュの目標物の数量の総和が前回から減少していないかを判定する。減少していない場合は、該メッシュの目標物の数量を加算しない。
【００９３】
図１４は、実施態様２における目標物の数量の管理処理の一実施例を示すフロー図である。
ステップＳ１４１では、目標数算出部３３が目標物管理装置１の受信部３からセンサによって探知した探知情報を取得する。図２の場合であれば、目標物管理装置１の目標数算出部３３は、受信部３を介してセンサ２０３〜２０８が探知した最新の探知情報を取得する。
【００９４】
ステップＳ１４２では、目標数算出部３３が探知情報を参照して、探知した目標物をメッシュごとに関連付ける。
ステップＳ１４３で目標数算出部３３は、前回更新した数量と探知した対象のメッシュに所在している最新の目標物の数量を比較する。比較の結果、前回より目標物の数量が減少したかを判定する。判定の結果、目標物の数量が増加または同数のときはステップＳ１４４（Ｎｏ）に移行し、目標物の数量が減少したときはステップＳ１４５（Ｙｅｓ）に移行する。
【００９５】
ステップＳ１４４では、目標数算出部３３が隣接メッシュの目標物の数量の総和が前回から減少したかを判定する。減少したときはステップＳ１４６（Ｙｅｓ）に移行し、目標物の数量が増加したときはステップＳ１４７（Ｎｏ）に移行する。
【００９６】
ステップＳ１４５では、目標数算出部３３が隣接メッシュの目標物の数量の総和が前回から増加したかを判定する。増加したときはステップＳ１４８（Ｙｅｓ）に移行し、目標物の数量が減少したときはステップＳ１４７（Ｎｏ）に移行する。
【００９７】
ステップＳ１４６で目標数算出部３３は目標物の数量を増加させる。実施態様１で説明したステップＳ１０４、Ｓ１１４、Ｓ１２４、Ｓ１３４の処理のうちのいずれか一つの処理を行う。
【００９８】
ステップＳ１４７では、対象のメッシュの目標物の数量は変更しない。
ステップＳ１４８で目標数算出部３３は目標物の数量を減少させる。実施態様１で説明したステップＳ１０５、Ｓ１１５、Ｓ１２５、Ｓ１３５の処理のうちのいずれか一つの処理を行う。
【００９９】
ステップＳ１４９では、目標数算出部３３が目標物の数量を更新する。例えば、目標物数量データベースの「メッシュＩＤ」に関連する「目標物の数量」のデータを更新する。図９の場合は矢印で示した前回更新した（←最新）のデータを更新する。更新前に（←最新）に記憶されていた内容は（←前回）に上書き更新する。なお、目標物数量データベースに履歴を記録してもよい。
【０１００】
なお、ステップＳ１４２にて探知した目標物が関連付けられたメッシュと、そのセンサによる探知率が一定値以上のメッシュに対して、ステップＳ１４３〜Ｓ１４９の処理を行ってもよい。また、ステップＳ１４９まで終了した後、センサ２０３〜２０８のうちのいずれから新しい探知情報を受信した場合は、ステップＳ１４１に移行する。
【０１０１】
上記方法により、隣接メッシュの目標物の数量の増加を参照して、対象のメッシュの目標物の数量の減算を行うことで、センサの性能（分解能など）や目標物の停止による目標物の数量の管理の誤りを軽減できる。
【０１０２】
（実施態様３）
実施態様３では、時間経過におけるメッシュの目標物の数量の推移を用いて、メッシュ間の目標物の移動を示す移動ベクトルを求める。
【０１０３】
移動ベクトルの算出方法について図１５を用いて説明する。
図１５は、実施態様３の移動ベクトルの算出の一実施例を示すフロー図である。ステップＳ１５１では、図３に示す移動ベクトル算出部３４が隣接するメッシュのグループのグループ位置（例えば、重心など）を求める。移動ベクトル算出部３４は、目標物が関連付けられているメッシュを抽出し、抽出したメッシュと隣接しているメッシュがある場合には対象のメッシュと隣接するメッシュをグループにする。例えば、移動ベクトル算出部３４は、目標物数量データベースを参照して、「目標物の数量」に１以上の数量があるメッシュを抽出する。次に、抽出したメッシュごとに隣接しているメッシュを抽出して、グループを生成する。なお、隣接するメッシュが無い抽出したメッシュは、該メッシュをひとつのグループに設定する。そして、後述する方法などによりグループの重心を求める。
【０１０４】
ステップＳ１５２で移動ベクトル算出部３４は、前回と最新の隣接するメッシュのグループの重心（グループ位置）を関連付ける。グループの関連付けは、最新の重心の位置と前回の重心各々の位置との距離を求める。距離が近い順に前回のグループから順に、最新のグループの数量と対象の前回のグループとの差を求める。その結果が閾値以内であれば、前回と最新のグループを関連付けられる。
【０１０５】
ステップＳ１５３では移動ベクトル算出部３４が、関連付けられたグループであるか否かを判定して、関連付けられているグループである場合はステップＳ１５４（Ｙｅｓ）に移行し、異なる場合はステップＳ１５５（Ｎｏ）に移行する。
【０１０６】
ステップＳ１５４で移動ベクトル算出部３４は、前回のグループの重心の位置（グループ位置）と最新のグループの重心の位置（グループ位置）を結ぶ線分を求めて、移動ベクトルとしてグループデータベースに記録する。
【０１０７】
ステップＳ１５５で移動ベクトル算出部３４は、関連付けられなかった最新のグループを、新しいグループとしてグループデータベースに、後述するグループＩＤ、最新の重心、更新日時、メッシュＩＤを記録する。
【０１０８】
ステップＳ１５６で移動ベクトル算出部３４は、グループデータベースのグループすべてについて処理が終了したかを判定して、終了していればステップＳ１５７（Ｙｅｓ）に移行し、終了していなければステップＳ１５３（Ｎｏ）に移行する。
【０１０９】
ステップＳ１５７では、移動ベクトル算出部３４が出力装置に図１８、図１９、図２０に示すような表示をするためのデータを出力する。図１８、図１９、図２０において「×」は今回算出した最新のグループ位置を示し、「○」は前回算出したグループ位置を示している。「→」は移動ベクトルを示している。
【０１１０】
図１６、図１７は、グループデータベースのデータ構造の一実施例を示す図である。また、図１６は、図１８と図１９に示されている監視対象範囲２００の状況をグループデータベースに記録した例を示している。図１７は、図１９と図２０に示されている監視対象範囲２００の状況をグループデータベースに記録した例を示している。なお、グループデータベースは記録部６に記録されている。
【０１１１】
図１６のグループデータベースは、「グループＩＤ」「最新の重心」「前回の重心」「移動ベクトル」「更新日時」「メッシュＩＤ」を有している。「グループＩＤ」には、グループを識別する識別子が記録されている。本例では、図１７に対応する「Ｇ１」「Ｇ２」「Ｇ３」「Ｇ４」「Ｇ５」「Ｇ６」「Ｇ７」が記録されている。「最新の重心」には、最新のセンサからの情報により生成した後述する隣接メッシュのグループの重心（グループ位置）が記録されている。本例では、「重心１」〜「重心５」が記録されている。「前回の重心」には、前回の隣接メッシュの重心（グループ位置）が記録されている。「移動ベクトル」には、前回と最新の重心を結んだ線分を示す「ベクトル１」「ベクトル４１」「ベクトル５１」が記録されている。図１９の「→」に相当する。「更新日時」には、最後に目標物を探知した日時が記録されている。本例では、「２００９／１２／３０／１１：１０」「２００９／１２／３０／１１：０５」・・・がグループ「Ｇ１」〜「Ｇ７」に関連付けて記録されている。「メッシュＩＤ」にはグループに含まれるメッシュの識別子が記録されている。本例では、「Ｇ１」に関連付けて「ＭＩＤ２２２」「ＭＩＤ２４４」、「Ｇ２」に関連付けて「ＭＩＤ１８０」、「Ｇ３」に関連付けて「ＭＩＤ２２６」が記録されている。また、「Ｇ４」に関連付けて「ＭＩＤ２５３」「ＭＩＤ２５４」、「Ｇ５」に関連付けて「ＭＩＤ１９６」「ＭＩＤ１９７」が記録されている。また、「Ｇ６」に関連付けて「ＭＩＤ１６２」、「Ｇ７」に関連付けて「ＭＩＤ２５８」が記録されている。図１７のグループデータベースは、図１９の状態から図２０の状態に遷移したときのグループデータベースである。
【０１１２】
グループの重心位置（グループ位置）の算出について図２１を用いて説明をする。
図２１に例ではメッシュの代表位置としてメッシュの中心位置（座標）を用いた場合について説明する。例えば、記録部６の目標物数量データベースを参照して、図２１に示す４つの正方形状のメッシュのそれぞれの目標物の数量を取得する。その結果、それぞれのメッシュの目標物の数量が５、３、１、２であると考える。また、各メッシュの一辺の長さをＬと設定する（本例では、４）。目標物の数量が５のメッシュの中心座標を（ｘ１，ｙ１）と設定する。目標物の数量が３のメッシュの中心座標を（ｘ２，ｙ１）と設定する。目標物の数量が１のメッシュの中心座標を（ｘ１，ｙ２）と設定する。目標物の数量が２のメッシュの中心座標を（ｘ２，ｙ２）と設定する。このグループの原点座標を目標物の数量が５のメッシュの座標（０，０）とする。次に、メッシュごとの数量と中心座標のＸ座標の値と積算する。図２１の例では、Ｘ１は２、Ｘ２は６、Ｙ１は２、Ｙ２は６であるので、５×Ｘ１＝１０、３×Ｘ２＝１８、１×Ｘ１＝２、２×Ｘ２＝１２となる。また、メッシュごとの数量と中心座標のＹ座標の値を積算する。図２１の例では、Ｙ１は２、Ｙ２は６、Ｙ１は２、Ｙ２は６であるので、５×Ｙ１＝１０、３×Ｙ１＝６、１×Ｙ２＝６、２×Ｙ２＝１２となる。
【０１１３】
次に、Ｘ座標側の合計１０＋１８＋２＋１２＝４２と、Ｙ座標側の合計１０＋６＋６＋１２＝３４を求める。そして、Ｘ座標の合計値４２とＹ座標の合計値３４をグループの目標物の数量の合計値５＋３＋１＋２＝１１で除算する。その結果、グループの位置を示すグループ位置のＸ座標（Ｘ４２／１１≒３．８）が求まる。また、グループ位置のＹ座標（３４／１１≒３．０）が求まる。つまり、図２１に示すグループのグループ位置は（３．８，３．０）の位置となる。このグループ位置を、グループデータベースの「最新の重心」（最新のグループ位置）に記録する。本例では、正方形状のメッシュを用いたが限定されるものではない。また、グループ位置の算出についても、グループ位置を求めることができる方法であれば上記に限定されるものではない。なお、図２１に示すグループの座標は、地図データの緯度、経度と関連付けられていることが好ましい。また、本例では代表位置としてメッシュの中心位置（座標）を用いたが、例えばメッシュの四隅の角の点などを用いてもよい。
【０１１４】
上記のように、時間経過ごとにグループの各メッシュの目標物の数量の推移からグループの移動ベクトルを算出することで、目標物のグループの移動方向を推測することが可能となる。
【０１１５】
さらに、最新と前回のグループの重心を関連付けられるグループであるか否かの判定について説明する。図２２のＡに示すように日時ｔ０のときグループＧｎの合計数量が１２であり、日時ｔ１ときグループＫｎの合計数量が１３であるとき、範囲を３に設定していれば同一のＧｎとＫｎは関連付けられるグループと判定してもよい。
【０１１６】
また、図２２のＢに示すように、グループＧｎと他のグループＧｍが接触した場合（点２２１）、は異なるグループとして記録することが望ましい。ただし、破線２２２で示したように接触した場合にはグループをマージして、同じグループとして管理することが望ましい。
なお、移動ベクトルを種別（人、車両など）ごとに管理してもよい。
【０１１７】
本実施形態がコンピュータとして実現される場合の構成について説明する。
図２３は、上記実施形態１、２、３で説明した装置を実現できるコンピュータのハードウェア構成の一実施例を示す図である。
【０１１８】
コンピュータのハードウェア２３００は、ＣＰＵ２３０１、記録部２３０２、記録媒体読取装置２３０３、入出力インタフェース２３０４（入出力Ｉ／Ｆ）、通信インタフェース２３０５（通信Ｉ／Ｆ）などを備えている。また、上記各構成部はバス２３０６によってそれぞれ接続されている。
【０１１９】
ＣＰＵ２３０１は、記録部２３０２に格納されている上記説明した目標物管理装置１の各処理を実行する。
記録部２３０２（ＲＯＭ、ＲＡＭ、ハードディスクドライブなど）には、ＣＰＵ２３０１が実行するプログラムやデータが記録されている。また、ワークエリアなどとして使用される。また、記録部２３０２は上記説明した記録部６の機能を有する。
【０１２０】
記録媒体読取装置２３０３は、ＣＰＵ２３０１の制御にしたがって記録媒体２３０７に対するデータのリード／ライトを制御する。そして、記録媒体２３０７に記録媒体読取装置２３０３の制御で書き込まれたデータを記憶させたり、記録媒体２３０７に記憶されたデータを読み取らせたりする。また、着脱可能な記録媒体２３０７は、コンピュータで読み取り可能な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc (ＤＶＤ)、ＤＶＤ−ＲＡＭ、Compact Disc Read Only Memory (ＣＤ−ＲＯＭ)、ＣＤ−Ｒ(Recordable)／ＲＷ(ReWritable)などがある。光磁気記録媒体には、Magneto-Optical disk (ＭＯ)などがある。
【０１２１】
入出力インタフェース２３０４には、入出力装置２３０８（例えば、タッチパネルなど）が接続され、ユーザが入力した情報を受信し、バス２３０６を介してＣＰＵ２３０１に送信する。また、ＣＰＵ２３０１からの命令に従ってディスプレイの画面上に操作情報などを表示する。
【０１２２】
通信インタフェース２３０５は、必要に応じ、他のコンピュータとの間のＬＡＮ接続やインターネット接続や無線接続を行うためのインタフェースである。また、他の装置に接続され、外部装置からのデータの入出力を制御する。
【０１２３】
このようなハードウェア構成を有するコンピュータを用いることによって、上記説明した各種処理機能（実施形態で説明した処理（フローチャートなど））が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体２３０７に記録しておくことができる。
【０１２４】
プログラムを流通させる場合には、例えば、そのプログラムが記録されたＤＶＤ、ＣＤ−ＲＯＭなどの記録媒体２３０７が販売される。また、プログラムをサーバコンピュータの記憶装置に格納しておき、ネットワークを介して、サーバコンピュータから他のコンピュータにそのプログラムを転送することもできる。
【０１２５】
プログラムを実行するコンピュータは、例えば、記録媒体２３０７に記録されたプログラムもしくはサーバコンピュータから転送されたプログラムを、自己の記録部２３０２に格納する。そして、コンピュータは、自己の記録部２３０２からプログラムを読み取り、プログラムに従った処理を実行する。なお、コンピュータは、記録媒体２３０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１２６】
また、目標物管理装置の機能を、ドップラレーダ装置本体や、複数のレーダ装置を使用して目標物を検出するシステムにおいて、検出した目標物の整理統合を行う装置やアプリケーションに搭載して使用する。
【０１２７】
また、本発明は、上記実施の形態に限定されるものでなく、本発明の要旨を逸脱しない範囲内で種々の改良、変更が可能である。なお、各実施形態は処理に矛盾の無い限りにおいて、互いに組み合わせても構わない。
【０１２８】
以上実施形態１、２、３を含む実施形態に関し、更に以下の付記を開示する。
（付記１）
監視対象範囲を監視する１つ以上のセンサにより探知される探知情報を用いて目標物を管理する目標物管理装置であって、
前記監視対象範囲を複数の分割範囲に分割した分割範囲ごとに、前記センサごとに計測により目標物を探知することができる確率を示す探知率を求める探知率算出部と、
対象の分割範囲に所在する目標物の前回更新した数量に対する最新の数量の増加した数量あるいは減少した数量を求め、増加した場合、前記探知率を用いて前記増加した数量を変更して、変更した数量と前回更新した目標物の数量を用いて、前記対象の分割範囲に所在する目標物の数量を求める増加処理をし、減少した場合に、前記探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
（付記２）
監視対象範囲を監視する１つ以上のセンサにより探知される探知情報を用いて目標物を管理する目標物管理装置であって、
前記監視対象範囲を複数の分割範囲に分割した分割範囲ごとに、前記センサごとに計測により目標物を探知することができる確率を示す探知率を求める探知率算出部と、
前記分割範囲ごとに前記センサそれぞれが偽目標物を探知してしまう確率を示す偽探知率を求める偽探知率算出部と、
対象の分割範囲に所在する目標物の前回更新した数量に対する最新の数量の増加した数量あるいは減少した数量を求め、増加した場合、前記探知率および前記偽探知率を用いて前記増加した数量を変更して、変更した数量と前回更新した目標物の数量を用いて、前記対象の分割範囲に所在する目標物の数量を求める増加処理をし、減少した場合に、前記探知率および前記偽探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
（付記３）
監視対象範囲を監視する１つ以上のセンサにより探知される探知情報を用いて目標物を管理する目標物管理装置であって、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求める探知率算出部と、
対象の分割範囲に所在する目標物の前回更新した数量に対する最新の数量の増加した数量あるいは減少した数量を求め、増加した場合、前記探知率を用いて前記増加した数量を変更して、変更した数量と前回更新した目標物の数量を用いて、前記対象の分割範囲に所在する目標物の数量を求める増加処理をし、減少した場合に、前記探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
（付記４）
監視対象範囲を監視する１つ以上のセンサにより探知される探知情報を用いて目標物を管理する目標物管理装置であって、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求める探知率算出部と、
前記分割範囲ごとに前記センサそれぞれが偽目標物を探知してしまう確率を示す偽探知率を求める偽探知率算出部と、
対象の分割範囲に所在する目標物の前回更新した数量に対する最新の数量の増加した数量あるいは減少した数量を求め、増加した場合、前記探知率および前記偽探知率を用いて前記増加した数量を変更して、変更した数量と前回更新した目標物の数量を用いて、前記対象の分割範囲に所在する目標物の数量を求める増加処理をし、減少した場合に、前記探知率および前記偽探知率を用いて減少した数量を変更して、変更した数量と前回更新した目標物の数量を用いて、前記対象の分割範囲に所在する目標物の数量を求める減算処理をして、前記対象の分割範囲の目標物の数量を更新する目標数算出部と、
を備えることを特徴とする目標物管理装置。
（付記５）
前記目標数算出部は、
前記対象の分割範囲に所在する目標物の前回更新した数量が最新の数量より前記増加した場合、前記対象の分割範囲に隣接する分割範囲の目標物の最新の数量の総和が前回更新した数量の総和より数量が減少したか判定し、減少しているとき前記増加処理をし、
前記対象の分割範囲に所在する目標物の前回変更した数量が最新の数量より前記減少した場合、前記対象の分割範囲に隣接する分割範囲の目標物の最新の数量の総和が前回変更した数量の総和より数量が増加したか判定し、増加しているとき前記減算処理を行う、ことを特徴とする付記１〜４のいずれか１つに記載の目標物管理装置。
（付記６）
１つ以上の前記分割範囲を有するグループの、前記分割範囲ごとに所在する目標物の数量と前記分割範囲の代表位置を用いて前記グループの代表となるグループ位置を求め、前記グループの前回算出したグループ位置と最新の算出したグループ位置を結ぶベクトルを求めて、前記グループの移動方向を示す移動ベクトルとする移動ベクトル算出部、を備えることを特徴とする請求項１〜５のいずれか１つに記載の目標物管理装置。
（付記７）
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサごとに計測により目標物を探知することができる確率を示す探知率を求めて記録部に記録し、
対象の分割範囲に所在する目標物の前回更新した数量に対する最新の数量の増加した数量あるいは減少した数量を求め、
増加した場合、前記探知率を用いて前記増加した数量を変更して、変更した数量と前回更新した目標物の数量を用いて、前記対象の分割範囲に所在する目標物の数量を求める増加処理をし、
減少した場合、前記探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
（付記８）
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサごとに計測により目標物を探知することができる確率を示す探知率を求めて記録部に記録し、
前記分割範囲ごとに前記センサそれぞれが偽目標物を探知してしまう確率を示す偽探知率求を求めて前記記録部に記録し、
対象の分割範囲に所在する目標物の前回更新した数量に対する最新の数量の増加した数量あるいは減少した数量を求め、
増加した場合、前記探知率および前記偽探知率を用いて前記増加した数量を変更して、変更した数量と前回更新した目標物の数量を用いて、前記対象の分割範囲に所在する目標物の数量を求める増加処理をし、
減少した場合、前記探知率および前記偽探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
（付記９）
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求めて記録部に記録し、
対象の分割範囲に所在する目標物の前回更新した数量に対する最新の数量の増加した数量あるいは減少した数量を求め、
増加した場合、前記探知率を用いて前記増加した数量を変更して、変更した数量と前回更新した目標物の数量を用いて、前記対象の分割範囲に所在する目標物の数量を求める増加処理をし、
減少した場合、前記探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
（付記１０）
監視対象範囲を監視する１つ以上のセンサにより探知される探知情報を用いて目標物を管理する目標物管理方法であって、
コンピュータが、
前記監視対象範囲を複数の分割範囲に分割した分割範囲ごとに、前記センサそれぞれの予め記録されている目標物を探知する確率を示す情報と、前記分割範囲の標高を示す情報を基に前記センサから見通せるメッシュを検出した結果とを用いて、前記分割範囲において目標物を探知することができる確率を示す探知率を求めて記録部に記録し、
前記分割範囲ごとに前記センサそれぞれが偽目標物を探知してしまう確率を示す偽探知率求を求めて前記記録部に記録し、
対象の分割範囲に所在する目標物の前回更新した数量に対する最新の数量の増加した数量あるいは減少した数量を求め、
増加した場合、前記探知率および前記偽探知率を用いて前記増加した数量を変更して、変更した数量と前回更新した目標物の数量を用いて、前記対象の分割範囲に所在する目標物の数量を求める増加処理をし、
減少した場合、前記探知率および前記偽探知率を用いて減少した数量を変更して、変更した数量と前回更新した目標物の数量を用いて、前記対象の分割範囲に所在する目標物の数量を求める減算処理をし、
増加処理あるいは減算処理の結果である目標物の数量を、前記対象の分割範囲の目標物の数量として前記記録部に記録する、
ことを特徴とする目標物管理方法。
（付記１１）
コンピュータが、
前記対象の分割範囲に所在する目標物の前回更新した数量が最新の数量より前記増加した場合、前記対象の分割範囲に隣接する分割範囲の目標物の最新の数量の総和が前回更新した数量の総和より数量が減少したか判定し、減少しているとき前記増加処理をし、
前記対象の分割範囲に所在する目標物の前回更新した数量が最新の数量より前記減少した場合、前記対象の分割範囲に隣接する分割範囲の目標物の最新の数量の総和が前回更新した数量の総和より数量が増加したか判定し、増加しているとき前記減算処理を行う、
ことを特徴とする付記７〜１０のいずれか１つに記載の目標物管理方法。
（付記１２）
コンピュータが、
１つ以上の前記分割範囲を有するグループの、前記分割範囲ごとに所在する目標物の数量と前記分割範囲の代表位置を用いて前記グループの代表となるグループの位置を求め、前記グループの前回算出したグループの位置と今回算出したグループの位置を結ぶベクトルを求めて、前記グループの移動方向を示す移動ベクトルとする移動ベクトル算出部、を備えることを特徴とする付記７〜１１のいずれか１つに記載の目標物管理方法。
（付記１３）
前記増加処理により求められるメッシュ内の目標物の数量は、前回目標物の数量＋増加した数量＋増加した数量×（１−（探知率／１００））であり、
前記減算処理により求められるメッシュ内の目標物の数量は、前回目標物の数量−減少した数量＋減少した数量×（１−（探知率／１００））であることを特徴とする、付記１〜６のいずれか１つに記載の目標物管理装置。
（付記１４）
前記増加処理により求められるメッシュ内の目標物の数量は、前回目標物の数量＋増加した数量−増加した数量×（偽探知率／１００）であり、
前記減算処理により求められるメッシュ内の目標物の数量は、前回目標物の数量−減少した数量＋減少した数量×（偽探知率／１００）であることを特徴とする、付記１〜６のいずれか１つに記載の目標物管理装置。
（付記１５）
前記増加処理により求められるメッシュ内の目標物の数量は、前回目標物の数量＋増加した数量＋増加した数量×（１−（探知率／１００））−増加した数量×（偽探知率／１００）であり、
前記減算処理により求められるメッシュ内の目標物の数量は、前回目標物の数量−減少した数量＋減少した数量×（１−（探知率／１００））−減少した数量×（偽探知率／１００）であることを特徴とする、付記１〜６のいずれか１つに記載の目標物管理装置。
（付記１６）
前記増加処理により求められるメッシュ内の目標物の数量は、前回目標物の数量＋増加した数量−増加した数量×（偽探知率／１００）であり、
前記減算処理により求められるメッシュ内の目標物の数量は、前回目標物の数量−減少した数量＋減少した数量×（１−（探知率／１００））であることを特徴とする、付記１〜６のいずれか１つに記載の目標物管理装置。
（付記１７）
前記増加処理により求められるメッシュ内の目標物の数量は、前回目標物の数量＋増加した数量＋増加した数量×（１−（探知率／１００））であり、
前記減算処理により求められるメッシュ内の目標物の数量は、前回目標物の数量−減少した数量＋減少した数量×（１−（探知率／１００））であることを特徴とする、付記７〜１２のいずれか１つに記載の目標物管理方法。
（付記１８）
前記増加処理により求められるメッシュ内の目標物の数量は、前回目標物の数量＋増加した数量−増加した数量×（偽探知率／１００）であり、
前記減算処理により求められるメッシュ内の目標物の数量は、前回目標物の数量−減少した数量＋減少した数量×（偽探知率／１００）であることを特徴とする、付記７〜１２のいずれか１つに記載の目標物管理方法。
（付記１９）
前記増加処理により求められるメッシュ内の目標物の数量は、前回目標物の数量＋増加した数量＋増加した数量×（１−（探知率／１００））−増加した数量×（偽探知率／１００）であり、
前記減算処理により求められるメッシュ内の目標物の数量は、前回目標物の数量−減少した数量＋減少した数量×（１−（探知率／１００））−減少した数量×（偽探知率／１００）であることを特徴とする、付記７〜１２のいずれか１つに記載の目標物管理方法。
（付記２０）
前記増加処理により求められるメッシュ内の目標物の数量は、前回目標物の数量＋増加した数量−増加した数量×（偽探知率／１００）であり、
前記減算処理により求められるメッシュ内の目標物の数量は、前回目標物の数量−減少した数量＋減少した数量×（１−（探知率／１００））であることを特徴とする、付記７〜１２のいずれか１つに記載の目標物管理方法。
【符号の説明】
【０１２９】
１  目標物管理装置
２  センサ部
３  受信部
４  送信部
５  処理部
６  記録部
７  表示部
３１  探知率算出部
３２  偽探知率算出部
３３  目標数算出部
３４  移動ベクトル算出部
２００  監視対象範囲
２０１  メッシュ
２０３〜２０８  センサ
２０９、２１０  山
２１１〜２１６  覆域
２３００  ハードウェア
２３０２  記録部
２３０３  記録媒体読取装置
２３０４  入出力インタフェース
２３０５  通信インタフェース
２３０６  バス
２３０７  記録媒体
２３０８  入出力装置
【図１】
0005604893.tif 000002
【図３】
0005604893.tif 000003
【図４】
0005604893.tif 000004
【図５】
0005604893.tif 000005
【図６】
0005604893.tif 000006
【図７】
0005604893.tif 000007
【図８】
0005604893.tif 000008
【図９】
0005604893.tif 000009
【図１０】
0005604893.tif 000010
【図１１】
0005604893.tif 000011
【図１２】
0005604893.tif 000012
【図１３】
0005604893.tif 000013
【図１４】
0005604893.tif 000014
【図１５】
0005604893.tif 000015
【図１６】
0005604893.tif 000016
【図１７】
0005604893.tif 000017
【図２１】
0005604893.tif 000018
【図２２】
0005604893.tif 000019
【図２３】
0005604893.tif 000020
【図２】
0005604893.tif 000021
【図１８】
0005604893.tif 000022
【図１９】
0005604893.tif 000023
【図２０】
0005604893.tif 000024